(57)【要約】【課題】冷蔵庫の庫内の衛生向上機能を有する冷蔵庫に関し、汚れ除去効果の向上を図って衛生的な冷蔵庫を提供する。【解決手段】冷蔵庫の各部屋の庫内用棚７と各部屋用扉棚８を、リン酸チタニウム系化合物よりなる親水性コーティング剤１０で被覆することで、庫内に保存している油分を有する液状調味料がこぼれたとしても、水拭きで簡単に汚れを拭取ることができる。そのことにより、黴などの微生物の発生を未然に防ぐことができ、衛生的な冷蔵庫を提供することができる。【選択図】図１
2005164195.tif 000002
【特許請求の範囲】
【請求項１】
冷蔵庫の庫内棚部、扉棚部にリン酸チタニア化合物を主成分とする親水性コーティング材を塗布することを特徴とする冷蔵庫。
【請求項２】
庫内壁面部にリン酸チタニア化合物を主成分とする親水性コーティング材を塗布することを特徴とする請求項１記載の冷蔵庫。
【請求項３】
抗菌効果を有する親水性コーティング材を塗布することを特徴とする請求項１または２に記載の冷蔵庫。
【発明の詳細な説明】
【技術分野】
【０００１】
本発明は、冷蔵庫の庫内の拭取りにくい汚れを簡単に除去することのできる機能を有する冷蔵庫に関するものである。
【背景技術】
【０００２】
近年、自動車、家電製品などに用いられる従来の防汚機能剤としてはメンテナンスフリーを訴求ポイントとして酸化チタンが一般的に用いられてきた。しかしながら酸化チタンを基材の上に担持させるために、シリコン系バインダー、有機質バインダーなどのバインダーが必要とされ、膜表面に均一に酸化チタンを担持しなければ活性が低く、かつ、酸化チタンの触媒効果によるバインダーの損傷
が生じる。
【０００３】
また酸化チタンは光（紫外線）の照射なしでは活性効果を発揮せず、したがって冷蔵庫庫内のような常時暗所では効果を発揮しない。そのため、冷蔵庫の場合は庫外部品にのみ光触媒を使用している。（例えば、特許文献１参照）。
【０００４】
以下、図面を参照しながら上記従来の冷蔵庫を説明する。
【０００５】
図４は、従来の冷蔵庫の概略断面図である。図４に示すように、従来の冷蔵庫は、冷凍室１内に冷却器２と、冷気攪拌ファン３と、霜取り用ヒータ４と、各部屋用扉５と、各部屋用扉の取手６と庫内には庫内用棚７と扉棚８より構成されている。また各部屋用扉５と各部屋用扉の取手６は、酸化チタン９で表面をコーティングされている。
【特許文献１】特開平１０−９５４６７号公報
【発明の開示】
【発明が解決しようとする課題】
【０００６】
しかしながら上記従来の冷蔵庫は、酸化チタンは光（紫外線）の照射なしでは活性効果を発揮できないため、防汚機能を庫外部品にしか適用できず、したがって冷蔵庫庫内部品の庫内棚や扉棚のような常時暗所雰囲気下にある箇所では効果を発揮せず適用できない。これを解決する手段として、紫外線ランプを庫内に設置する方法があるが、この場合庫内樹脂部品が紫外線の影響で材料劣化を生じてしまうという課題が発生する。また紫外線の照射時間を短くし、樹脂部品への影響を低下させる方法として、光触媒材料に蓄光型紫外線放射材を添加することにより、光源よりの紫外線が途絶えても蓄光材の紫外線放射効果により、暗所でもその効果を発揮する方法があるが、この場合もまた、蓄光型紫外線放射材より照射される紫外線の影響で樹脂部品が材料劣化を生じてしまうという課題が発生する。
【０００７】
本発明は上記従来の課題を解決するもので、親水性コーティング剤を庫内部品に塗工することで、光触媒の紫外線照射による親水性作用による防汚機能と同様の効果を発揮し、油系の食品が付着しても、水拭きで容易にその面を清掃でき、食品を保存する庫内環境を清潔に保つことができる冷蔵庫を、提供することを目的とする。
【課題を解決するための手段】
【０００８】
上記課題を解決するため、本発明の冷蔵庫は、冷蔵庫の庫内棚部、ドア棚部にリン酸チタニア化合物を主成分とする親水性コーティング材を塗布するものであり、光触媒の紫外線照射による親水性作用による防汚機能と同様の効果を発揮し、油系の食品が付着しても、水拭きで容易にその面を清掃でき、食品を保存する庫内環境を清潔に保つことができる。
【発明の効果】
【０００９】
本発明の冷蔵庫によれば、冷蔵庫の庫内棚部、ドア棚部にリン酸チタニア化合物を主成分とする親水性コーティング材を塗布するものであり、光触媒の紫外線照射による親水性作用による防汚機能と同様の効果を発揮し、油系の食品が付着しても、水拭きで容易にその面を清掃でき、食品を保存する庫内環境を清潔に保つことができる。
【発明を実施するための最良の形態】
【００１０】
請求項１に記載の冷蔵庫の発明は、冷蔵庫の庫内棚部、ドア棚部にリン酸チタニア化合物を主成分とする親水性コーティング材を塗布するものであり、光触媒の紫外線照射による親水性作用による防汚機能と同様の効果を発揮し、油系の食品が付着しても、水拭きで容易にその面を清掃でき、食品を保存する庫内環境を清潔に保つことができる。
【００１１】
請求項２に記載の冷蔵庫の発明は、冷蔵庫請求項１記載の発明に加え、庫内壁面部にもリン酸チタニア化合物を主成分とする親水性コーティング材を塗布することでより庫内の防汚機能の範囲を拡大し、食品を保存する庫内環境を清潔に保つことができる。
【００１２】
請求項３に記載の冷蔵庫の発明は、請求項１または２に記載の発明に加え、抗菌効果を有する親水性コーティング材を塗布することで、より食品を保存する庫内環境を清潔に保つことができる。
【００１３】
以下、本発明の実施の形態について、図面を参照しながら説明する。なお、従来と同一構成については、同一符号を付して詳細な説明を省略する。また、この実施の形態によってこの発明が限定されるものではない。
【００１４】
（実施の形態１）
図１は本発明の実施の形態１による冷蔵庫の概略断面図である。
【００１５】
図１に示すように本実施の形態の冷蔵庫は、冷凍室１内に冷気導入口２と、冷気攪拌ファン３と、霜取り用ヒータ４と、各部屋用扉５と、各部屋用扉の取手６と庫内には庫内用棚７と扉棚８より構成されている。また各部屋の庫内用棚７と各部屋用扉棚８は、親水性コーティング剤１０で表面を被覆されている。この際使用される親水性コーティング剤はリン酸チタニウム系化合物またはその縮合物を用いる。
【００１６】
この親水性コーティング剤の皮膜は水の接触角が５〜１０°の値であり、そのため表面に冷蔵庫扉棚部に保存している油分を有する液状調味料がこぼれても、水拭きで簡単に汚れを拭取ることができる。そのことにより、黴などの微生物の発生を未然に防ぐことができる。
【００１７】
（実施の形態２）
図２は本発明の実施の形態２による冷蔵庫の概略断面図である。
【００１８】
冷蔵庫庫内壁面部１１は、親水性コーティング剤１０で表面を被覆されているなお、この親水性コーティング剤を冷蔵庫庫内壁面部に塗布することで、庫内奥面部の手の届きにくく、拭取りにくい箇所に付着した油系の汚れも簡単に拭取ることができる。そのことにより、黴などの微生物の発生を未然に防ぐことができる。
【００１９】
（実施の形態３）
図３は本発明の実施の形態３による冷蔵庫の概略断面図である。
【００２０】
冷蔵庫各部屋用扉５と各部屋用扉の取手６と庫内壁面部１１は、親水性抗菌コーティング剤１２で表面を被覆されている。なお、この親水性抗菌コーティング剤はリン酸チタニア化合物を主成分とする化合物よりなり、これを対象箇所に塗布することで、庫内奥面部の手の届きにくく、拭取りにくい箇所に付着した油系の汚れも簡単に拭取ることができ、また抗菌作用を有し従来の銀や金を使用した抗菌剤とは異なり、環境にやさしく、また人体に影響を及ぼさず、生活環境に生存する有害菌の増殖を減少させることができ、黴などの微生物の発生を未然に防ぐことができる。
【産業上の利用可能性】
【００２１】
以上のように、本発明にかかる冷蔵庫は、油系の食品が付着しても、水拭きで容易にその面を清掃でき、食品を保存する庫内環境を清潔に保つことができるので、冷蔵庫に限らず庫内に食品を保存する貯蔵庫や貯蔵機器全般に幅広く適用できる。
【図面の簡単な説明】
【００２２】
【図１】本発明による実施の形態１の冷蔵庫の概略断面図
【図２】本発明による実施の形態２の冷蔵庫の概略断面図
【図３】本発明による実施の形態３の冷蔵庫の概略断面図
【図４】従来の冷蔵庫の概略断面図
【符号の説明】
【００２３】
７    庫内棚部
８    扉棚部
１０    リン酸チタニアを主成分とする親水性コーティング剤
１２    抗菌効果を有する親水性コーティング剤
【図１】
2005164195.tif 000003
【図２】
2005164195.tif 000004
【図３】
2005164195.tif 000005
【図４】
2005164195.tif 000006